(57)【要約】【課題】  本発明の目的は、配管施工が容易であり、且つ施工後の見栄えが良く、さらに洗濯機設置場所の有効スペースを広く確保することが可能な、洗濯機用給排水ユニットを提供する。【解決手段】  洗濯機と離間して床面側に設置される洗濯機用給排水ユニット１であって、受皿体１０と、この受皿体１０を被覆する蓋体２０とを有し、受皿体１０には、排水トラップ３０が配設される第一の孔１１と、床下の給水管に接続された給水栓４０が配設される第二の孔１２が設けられ、蓋体２０には、排水トラップ３０と洗濯機の排水手段とを接続する接続手段３３が挿通される第三の孔２３と、給水栓４０が挿通される第四の孔２４が設けられている。【選択図】  図１
2006009418.tif 000002
【特許請求の範囲】
【請求項１】
洗濯機と離間して床面側に設置される洗濯機用給排水ユニットであって、
受皿体と、該受皿体を被覆する蓋体とを有し、
前記受皿体には、排水トラップが配設される第一の孔と、床下の給水管に接続された給水栓が配設される第二の孔が設けられ、
前記蓋体には、前記排水トラップと洗濯機の排水手段とを接続する接続手段が挿通される第三の孔と、前記給水栓が挿通される第四の孔が設けられたことを特徴とする洗濯機用給排水ユニット。
【請求項２】
前記給水栓が挿通される第四の孔は長孔であることを特徴とする請求項１記載の洗濯機用給排水ユニット。
【請求項３】
洗濯機に隣接して配置される洗面化粧台であって、
床面と該床面に連続する側面を備えた収納空間を有し、該収納空間には前記洗濯機の給排水を行う洗濯機用給排水ユニットが収納され、
前記洗濯機用給排水ユニットは、受皿体と、該受皿体を被覆する蓋体とを有し、前記受皿体には、排水トラップが配設される第一の孔と、給水栓が配設される第二の孔が設けられ、前記蓋体には、前記排水トラップと洗濯機の排水手段とを接続する接続手段が挿通される第三の孔と、前記給水栓が挿通される第四の孔が設けられた構成とされ、
前記収納空間の床面に設けられた開口部に、前記受皿部が嵌合されたことを特徴とする洗面化粧台。
【請求項４】
前記収納空間に隣接して洗濯機が配設され、前記収納空間の前記洗濯機側に位置する側面には、前記給水栓に接続された給水手段と、前記排水トラップに接続された排水手段とが挿通される孔が設けられていることを特徴とする請求項３記載の洗面化粧台。
【発明の詳細な説明】
【技術分野】
【０００１】
本発明は洗濯機用給排水ユニット及び洗面化粧台に関し、特に、洗濯機とは離間した位置に設置される洗濯機用給排水ユニットと、この洗濯機用給排水ユニットを備えた洗面化粧台に関する。
【背景技術】
【０００２】
従来より、洗濯機を設置する場合は、図７に示すように、所定位置に防水パン１０１を配設し、この上に洗濯機１０２を載置していた。防水パン１０１には排水用トラップ１０３が設けられており、この排水用トラップ１０３に、洗濯機１０２の排水ホース１０４が接続され、排水が行われている。また、洗濯機１０２の設置位置には、壁面から給水栓１０５が突設されており、この給水栓１０５に洗濯機１０２の給水ホース１０６を接続することにより、給水を行っていた。
【０００３】
ところで、壁面から給水栓１０５を突設させるためには、床下から壁Ｗの内部へ給水管１０７を立ち上げる必要があるが、この壁内での配管工事には多くの手間を要するという不都合があった。
そこで、上記問題を解決するため、防水パンの枠部に貫通孔を設け、この貫通孔に、床下から給水栓を突設した構成の洗濯機用防水パンが提案されている（例えば、特許文献１参照）。
【特許文献１】特開平１１−０６１９２３号公報（図１）
【発明の開示】
【発明が解決しようとする課題】
【０００４】
上記特許文献１に開示された洗濯機用防水パンによれば、壁内での配管工事が不要となるため、配管工事のコスト低減を図ることが可能となる。
しかし、上記特許文献１に開示された洗濯機用防水パンは、給水栓や排水ホースが外部に露見しているため見栄えが悪く、さらにこの露見した給水栓や排水ホースの細部に埃が入り込んでしまうと、掃除に手間がかかるという問題があった。
さらに、特許文献１に記載の防水パンは、その上に洗濯機が載置される構成であるため、洗濯機の外形よりも一回り大きく形成されており、このため洗濯機設置のためのスペースが余分に取られ、有効スペースが狭くなるという不都合があった。
【０００５】
本発明の目的は、配管施工が容易であり、且つ施工後の見栄えが良く、さらに洗濯機設置場所の有効スペースを広く確保することが可能な、洗濯機用給排水ユニットを提供することにある。
本発明の他の目的は、洗濯機用給排水ユニットを収納し、室内の良好なトータルコーディネイトを実現する洗面化粧台を提供することにある。
【課題を解決するための手段】
【０００６】
前記課題は、請求項１に係る洗濯機用給排水ユニットによれば、洗濯機と離間して床面側に設置される洗濯機用給排水ユニットであって、受皿体と、該受皿体を被覆する蓋体とを有し、前記受皿体には、排水トラップが配設される第一の孔と、床下の給水管に接続された給水栓が配設される第二の孔が設けられ、前記蓋体には、前記排水トラップと洗濯機の排水手段とを接続する接続手段が挿通される第三の孔と、前記給水栓が挿通される第四の孔が設けられた、ことにより解決される。
【０００７】
本発明の洗濯機用給排水ユニットによれば、床下の給水管に接続された給水栓が配設されているので、この給水栓から洗濯機への給水を行う機能を有する。
また、本発明の洗濯機用給排水ユニットは、従来の防水パンのように洗濯機が上に載置されないため、洗濯機の周囲に沿って防水パンの設置スペースを確保する必要がなくなり、洗濯機設置場所における有効スペースが拡大される。
【０００８】
さらに、本発明の洗濯機用給排水ユニットは、受皿体を被覆する蓋体を備えており、この蓋体は、受皿体に配設された排水トラップや給水栓に、埃やゴミが入り込むのを防止する機能を有する。
また、蓋体は、排水トラップの目皿や、給水栓の基部を被覆して、外部に露見させない機能を有する。また、臭気が発生した場合にも、この蓋体により臭気が外部に漏れるのを防止する。
【０００９】
なお、前記給水栓が挿通される第四の孔の形状を、長孔とすると好適である。第四の孔を長孔とすると、様々な態様の給水栓に対応することが可能となる。例えば、給水栓の吐水口が基部側から斜め上方に突き出しているような場合であっても、第四の孔が長孔とされていると、給水栓の配置スペースが十分に確保される。
【００１０】
本発明の洗濯機用給排水ユニットを備えた洗面化粧台は、床面と該床面に連続する側面を備えた収納空間を有し、該収納空間には前記洗濯機の給排水を行う洗濯機用給排水ユニットが収納され、前記洗濯機用給排水ユニットは、受皿体と、該受皿体を被覆する蓋体とを有し、前記受皿体には、排水トラップが配設される第一の孔と、給水栓が配設される第二の孔が設けられ、前記蓋体には、前記排水トラップと洗濯機の排水手段とを接続する接続手段が挿通される第三の孔と、前記給水栓が挿通される第四の孔が設けられた構成とされ、
前記収納空間の床面に設けられた開口部に、前記受皿部が嵌合されたことを特徴とする。
【００１１】
本発明の洗濯機用給排水ユニットを備えた洗面化粧台によれば、洗面化粧台に設けられた収納空間に洗濯機用給排水ユニットが収納されている。
このように、洗濯機用給排水ユニットが洗面化粧台に収納されるので、給水栓に接続される給水ホースや、排水トラップに接続される排水ホースも洗面化粧台に収納することが可能となる。
また、洗濯機用給排水ユニットへの埃やごみの侵入が防止される。
【００１２】
さらに、本発明の洗濯機用給排水ユニットを備えた洗面化粧台には、前記収納空間に隣接して洗濯機が配設され、前記収納空間の前記洗濯機側に位置する側面には、前記給水栓に接続された給水手段と、前記排水トラップに接続された排水手段とが挿通される孔が設けられていると好適である。
収納空間の側壁に、前記給水手段と排水手段を挿通する孔が設けられていれば、給水手段と排水手段を外部に露見することなく、洗濯機用給排水ユニットから洗濯機に直接つなぐことが可能となる。
したがって、外部には、洗濯機用給排水ユニットや給水手段，排水手段等は一切見えなくなる。
【発明の効果】
【００１３】
以上のように、本発明の洗濯機用給排水ユニットには、床下の給水管に接続された給水栓が配設されているので、この給水栓から洗濯機への給水を行うことができ、手間のかかる壁内への配管施工が必要なくなり、施工効率を向上させることが可能となる。
また、従来の防水パンのように洗濯機が上に載置されないため、洗濯機の周囲に沿って余分なスペースが取られることがなく、洗濯機設置場所においてより多くの有効スペースを確保することが可能となる。
さらに、本発明の洗濯機用給排水ユニットは、受皿体を被覆する蓋体を備えているので、受皿体に配設された排水トラップや給水栓に、埃やゴミが入り込むのを防止することが可能となる。また、蓋体で被覆することにより、排水トラップの目皿や、給水栓の基部が見えなくなるため、すっきりとした外観を得ることができる。また、臭気が発生した場合にも、この蓋体により臭気が外部に漏れるのを防止し、快適な室内環境を保つことが可能となる。
本発明の洗濯機用給排水ユニットを備えた洗面化粧台によれば、洗面化粧台に、洗濯機と、この洗濯機への給排水を行う洗濯機用給排水ユニットが組み込まれているので、外観を損ねがちな給水栓やホースなどの設備機器が外部に露見することなく、洗面室において好適な外観を保ち、室内の良好なトータルコーディネイトを実現することが可能となる。また、洗濯機用給排水ユニットへ、埃やごみ入り込むことがなく、常に清潔な状態に保つことが可能となる。
【発明を実施するための最良の形態】
【００１４】
以下、本発明の一実施形態について、図を参照して説明する。なお、以下に説明する部材、配置等は、本発明を限定するものではなく、本発明の趣旨に沿って各種改変することができることは勿論である。図１は本実施形態に係る洗濯機用給排水ユニットの分解斜視図、図２は受皿体の上面図、図３は蓋体の上面図、図４は排水トラップの断面図、図５は洗濯機用給排水ユニットを備えた洗面化粧台の説明図、図６は洗面化粧台に設置された洗濯機用排水ユニットを示す断面図である。
【００１５】
本実施形態の洗濯機用給排水ユニット１は、図１に示すように、受皿体１０と、この受皿体１０を被覆する蓋体２０と、排水トラップ３０と、給水栓４０とを備えている。
受皿体１０は、ＡＢＳ樹脂、ＰＰ樹脂、再生ポリエチレン樹脂などの合成樹脂からなり、床面と水平に設置される。受皿体１０は水漏れが発生した場合に備えて設けられており、上面１３で水を受けるように構成されている。
【００１６】
受皿体１０の上面１３には、排水トラップ３０が配設される第一の孔１１と、給水栓４０が配設される第二の孔１２が設けられている。
第一の孔１１には、排水トラップ３０が配設される。第一の孔１１の周りには縁部１１ａが形成されており、この縁部１１ａに排水トラップ３０のトラップ取付部材３８が載置される。トラップ取付部材３８には縁部１１ａを挟んでトラップハウジング３２が接続される。すなわち、トラップ取付部材３８とトラップハウジング３２とで受皿体１０を挟持するようにして、受皿体１０に排水トラップ３０が配設される。
【００１７】
第二の孔１２には、給水栓４０が配設される。給水栓４０の基部側には鍔部４１が設けられており、この鍔部４１が第二の孔１２に係止される。給水栓４０には、水栓金具４４を介して給水管５０が接続される。
受皿体１０は周縁部１４を備えており、この周縁部１４にはねじ孔１５が設けられている。このねじ孔１５にはねじが配設され、受皿体１０を設置場所に固定することができる。
【００１８】
蓋体２０は、受皿体１０と同様の素材からなり、受皿体１０に被覆可能な大きさに形成されている。
蓋体２０は上面部２１と、この上面部２１に連続する側壁２２とから構成されている。
蓋体２０には、排水トラップ３０のホースジョイント３３が挿通される第三の孔２３と、給水栓４０が挿通される第四の孔２４が設けられている。ホースジョイント３３は、排水トラップ３０と洗濯機の排水手段である排水ホースとを接続する接続手段である。
【００１９】
第三の孔２３は、ホースジョイント３３を挿通可能な大きさに形成されている。そして、この第三の孔２３の近傍には、略扇形の凹部２５が形成されている。凹部２５は、図３に示すように、二本の辺２５ａのなす角度が略９０度になるように形成されている。
ホースジョイント３３は、排水トラップ３０の目皿３１の略中央に位置しており、目皿３１に対して回転自在に連結されている。ホースジョイント３３は上記凹部２５の範囲内で、洗濯機の排水ホースの位置にあわせて向きを変えられるように構成されている。
【００２０】
第四の孔２４は、図１及び図３に示すように、長孔として形成されている。第四の孔２４を長孔とすると、様々な態様の給水栓４０に対応することが可能となる。例えば、給水栓４０の吐水口４３が、給水栓４０の基部側から斜め上方に突き出しているような場合であっても、第四の孔２４が長孔とされていると、給水栓４０の配置スペースを十分に確保することが可能となる。
【００２１】
図４に基づいて、排水トラップ３０についてさらに詳細に説明する。排水トラップ３０は、ホースジョイント３３を備え、このホースジョイント３３を介して洗濯機の排水ホース７２と接続されている。排水トラップ３０は、排水ホースから流出する廃水（汚水）を床下に配設した排水管６０に案内する。排水トラップ３０と排水管６０とは排水管接続部３７を介して接続されている。
洗濯機から排出された廃水は、ホースジョイント３３から排水トラップ３０内に流れ込み、排水管６０側へ送られる。
図示されているように、排水トラップ３０はトラップハウジング３２を備え、その内部には、封水筒３５と、封水筒３５の外側に配設される排水カップ３６とを備えている。
この封水筒３５と排水カップ３６で保水する構成とされており、これにより、排水管６０からの臭気の逆流を防止することができるようになっている。
【００２２】
封水カップ３６の底面には、翼片３６ａが立設され、この翼片３６ａ上には案内筒３４が載置される。この案内筒３４にはホースジョイント３３が嵌挿される。なお、符号３４ａは消泡用のリブである。トラップハウジング３２には、目皿受けを兼ねたトラップ取付部材３８が接続されている。トラップ取付部材３８はトラップハウジング３２にねじ込みまたは圧入により固定されている。
トラップ取付部材３８は、受皿部１０の第一の孔１１に係合される。トラップ取付部材３８は周縁部３８ａを備えており、この周縁部３８ａが受皿部１０の第一の孔１１の縁部１１ａに係合する。
トラップ取付部材３８と受皿部１０との間、及びトラップ取付部材３８とトラップハウジング３２との間には、パッキン３９が介在されて防水性が確保されている。
【００２３】
トラップ取付部材３８の上面側には、目皿３１がねじ込み或いは嵌合により配設されている。目皿３１は、トラップハウジング３２にごみが入り込むのを防止するために設けられているものである。
排水トラップ３０は、目皿３１を取り外せば、案内筒３４と封水筒３５及び排水カップ３６を取り除くことが可能であり、高圧洗浄などの手段により排水管６０の清掃を容易に行うことが可能である。
なお、トラップハウジング３２を透明部材から構成すると、内部の目視が可能となり好適である。
【００２４】
給水栓４０は、図１に示すように、操作ハンドル４２と吐水口４３を備えており、水栓金具４４と共に受皿体１０の第二の孔１２に配設されている。給水栓４０を配設する場合は、第二の孔１２に水栓金具４４を係合させ、この水栓金具４４に対して給水栓４０を取り付けるようにすれば良い。
給水栓４０の吐水口４３には、洗濯機への給水手段としての給水ホースが接続される。
【００２５】
上記構成からなる洗濯機用給排水ユニット１は、洗濯機７０に隣接して位置する洗面化粧台８０に収納されている。図５は洗濯機７０及び洗面化粧台８０を示す説明図であり、図６は洗面化粧台８０の内部に配設された洗濯機用給排水ユニット１の断面図である。
洗面化粧台８０は、蛇口８１と洗面器８２と、洗面器８２の下方に位置するキャビネット８３とを備えている。
キャビネット８３内には、床面８４と側面８５に囲まれた収納空間８６が形成されている。なお、図５では、キャビネット８３と、洗濯機用給排水ユニット１の受皿体１０及び蓋体２０のみを断面で示し、図６では、受皿体１０及び蓋体２０のみを断面で示している。
【００２６】
図６に示すように、洗濯機用給排水ユニット１はキャビネット８３の床面８４に埋め込まれるように配設される。すなわち、キャビネット８３の床面８４に開口部８４ａを形成し、この開口部８４ａに、洗濯機用給排水ユニット１の受皿体１０をはめ込んで配設する。開口部８４ａは、受皿体１０の周縁部が、開口部８４ａの縁部に係合する大きさに形成される。
【００２７】
開口部８４ａに受皿体１０が嵌合されたら、受皿体１０の周縁部１４に設けられたねじ孔１５を利用して、受皿体１０をキャビネット８３の床面８４に固定する。
さらに、受皿体１０に蓋体２０が被せられる。そして、排水トラップ３０の案内筒３４にホースジョイント３３が接続され、水栓金具４４に給水栓４０が接続される。
ホースジョイント３３は蓋体２０の第三の孔２３に挿通され、給水栓４０は蓋体２０の第四の孔２４に挿通される。
【００２８】
洗濯機７０は、洗面化粧台８０のキャビネット８３に隣接して設置される。本例における洗濯機７０は、洗浄機能と乾燥機能の両方を備えた、いわゆるドラム式洗濯乾燥機である。ドラム式洗濯乾燥機は、洗濯物の洗浄と乾燥を一つの槽内で行うため、最初に洗濯物を投入してから、洗浄及び乾燥された洗濯物が取り出されるまで、洗濯機の蓋が開けられたり、ぬれた洗濯物が取り出されることはない。
このため、洗濯時に洗濯機７０の周囲に水が飛散するようなことがなく、従来のように洗濯機の下部全体に敷設される防水パンは必要がないものである。
【００２９】
洗濯機７０には、洗濯機７０への給水を行う給水ホース７１と、洗濯機７０からの排水を行う排水ホース７２とが接続されている。給水ホース７１は、洗濯機用給排水ユニット１の給水栓４０に接続され、排水ホース７２は洗濯機用給排水ユニット１の排水トラップ３０に接続される。給水ホース７１は洗濯機７０の上面または背面に設けられた給水口（図示せず）に接続され、排水ホース７２は洗濯機７０の下部に設けられた排水口（図示せず）に接続される。
【００３０】
洗面化粧台８０のキャビネット８３の側面８５のうち、洗濯機７０側に位置する側面８５ａには、給水ホース７１と排水ホース７２を挿通可能な孔８７が設けられている。したがって、給水ホース７１と排水ホース７２は、この孔８７を挿通させて、それぞれ給水栓４０と排水トラップ３０に接続させることができる。
給水ホース７１と排水ホース７２は、キャビネット８３内を通って、洗濯機７０と洗濯機用給排水ユニット１を接続することとなる。したがって、給水ホース７１と排水ホース７２が外部に露見することなく、良好な外観を保つことが可能となる。
【図面の簡単な説明】
【００３１】
【図１】本発明に係る洗濯機用給排水ユニットの分解斜視図である。
【図２】本発明に係る洗濯機用給排水ユニットの受皿体の上面図である。
【図３】本発明に係る洗濯機用給排水ユニットの蓋体の上面図である。
【図４】本発明に係る洗濯機用給排水ユニットを構成する排水トラップの断面図である。
【図５】本発明に係る洗濯機用給排水ユニットを備えた洗面化粧台の説明図である。
【図６】洗面化粧台に設置された洗濯機用排水ユニットを示す断面図である。
【図７】従来例を示す説明図である。
【符号の説明】
【００３２】
１  洗濯機用給排水ユニット
１０  受皿体
１１  第一の孔
１１ａ  縁部
１２  第二の孔
１３  上面
１４  周縁部
１５  ねじ孔
２０  蓋体
２１  上面部
２２  側壁
２３  第三の孔
２４  第四の孔
２５  凹部
３０  排水トラップ
３１  目皿
３２  トラップハウジング
３３  ホースジョイント
３４  案内筒
３４ａ  リブ
３５  封水筒
３６  排水カップ
３６ａ  翼片
３７  排水管接続部
３８  トラップ取付部材
３９  パッキン
４０  給水栓
４１  鍔部
４２  操作ハンドル
４３  吐水口
４４  水栓金具
５０  給水管
６０  排水管
７０  洗濯機
７１  給水ホース
７２  排水ホース
８０  洗面化粧台
８１  蛇口
８２  洗面器
８３  キャビネット
８４  床面
８５  側面
８５ａ  洗濯機側に位置する側面
８６  収納空間
８７  孔
【図１】
2006009418.tif 000003
【図２】
2006009418.tif 000004
【図３】
2006009418.tif 000005
【図４】
2006009418.tif 000006
【図５】
2006009418.tif 000007
【図６】
2006009418.tif 000008
【図７】
2006009418.tif 000009